(57)【要約】【課題】  プロジェクタを広い会場で使用する際に、プロジェクタの投写場所を変更したり、プロジェクタが複数箇所にあったとしても画像データの入力部に接続するケーブルの取替え等を不要にでき、設置レイアウトの自由度を拡大し、投写画像の画質を向上させた画像投写方法、画像投写システム、画像処理装置および光学処理装置を提供する。【解決手段】  画像投写システム１は画像処理装置２と光学処理装置３の２種類から成る。そして、画像処理装置２において、画像信号はA/D変換部２０でデジタル信号に変換され、画像処理部２１で表示デバイス４２の仕様に合わせた変換を行い、画像符号化部２２で符号化および圧縮され、通信部２３の通信アンテナ２５で送信される。そして、光学処理装置３において、送信された画像データは通信部３０の通信アンテナ３１で受信される。そして、画像復号化部３３で復号化および伸張され、画像補正部３４で補正処理される。補正処理された画像データを基に表示デバイス駆動部４１で表示デバイス４２を駆動し、光学部４０により画像データが投写される。【選択図】      図１
2005234107.tif 000002
【特許請求の範囲】
【請求項１】
外部から入力した信号に基づき生成した画像を投写部により投写する画像投写方法であって、
外部から入力した信号に基づき画像処理を行う部分と、該画像処理により得られた画像データに基づき光学処理を行って画像の投写を行う部分とを画像処理装置と光学処理装置との２種類の装置に分割構成し、
画像処理装置が外部から入力した画像信号を表示デバイスに合わせて変換する画像処理工程と、
画像処理装置が変換された画像データを符号化する画像符号化工程と、
画像処理装置が前記符号化された画像データを送信する第１の通信工程と、
光学処理装置が前記符号化された画像データを受信する第２の通信工程と、
光学処理装置が受信した前記符号化された画像データを復号化する画像復号化工程と、
光学処理装置が復号化された画像データを補正処理する画像補正工程と、
光学処理装置が補正された画像データを基に前記表示デバイスを駆動させる表示デバイス駆動工程と、
光学処理装置が前記表示デバイスを含む光学系を構成する光学部により画像を投写させる投写工程とを備えたことを特徴とする画像投写方法。
【請求項２】
画像処理装置と光学処理装置とを備えて、画像データを送信し投写する画像投写システムであって、
単一の前記画像処理装置に対して、単一又は複数の前記光学処理装置を備え、
前記画像処理装置は、外部から入力した画像信号を表示デバイスに合わせて変換する画像処理部と、
変換された画像データを符号化する画像符号化部と、
前記符号化された画像データを前記画像処理装置から前記光学処理装置に送信する第１の通信部とを備え、
前記光学処理装置は、前記符号化された画像データを受信する第２の通信部と、
受信した前記符号化された画像データを復号化する画像復号化部と、
復号化された画像データを補正処理する画像補正部と、
補正された画像データを基に前記表示デバイスを駆動させる表示デバイス駆動部と、
前記表示デバイスを含む光学系を構成し、画像を投写させる光学部とを備えたことを特徴とする画像投写システム。
【請求項３】
請求項２に記載の画像投写システムであって、
前記画像処理装置は前記光学処理装置から送信された情報を記憶する第１の記憶部を備えたことを特徴とする画像投写システム。
【請求項４】
請求項２に記載の画像投写システムであって、
前記光学処理装置は前記画像処理装置から送信された情報を記憶する第２の記憶部を備え、前記情報に基づいて前記画像補正部を設定することを特徴とする画像投写システム。
【請求項５】
請求項２〜請求項４のいずれか一項に記載の画像投写システムであって、
前記画像処理装置は、ネットワークに接続されることを特徴とする画像投写システム。
【請求項６】
請求項２に記載の画像投写システムにおける画像処理装置であって、
前記画像処理部、前記画像符号化部および前記第１の通信部を備えたことを特徴とする画像処理装置。
【請求項７】
請求項２に記載の画像投写システムにおける光学処理装置であって、
前記第２の通信部、前記画像復号化部、前記画像補正部、前記表示デバイス駆動部および前記光学部を備えたことを特徴とする光学処理装置。
【請求項８】
請求項６に記載の画像投写システムにおける画像処理装置であって、
請求項３に記載の前記第１の記憶部を備えたことを特徴とする画像処理装置。
【請求項９】
請求項４に記載の画像投写システムにおける光学処理装置であって、
前記第２の通信部、前記画像復号化部、前記画像補正部、前記表示デバイス駆動部、前記光学部および前記第２の記憶部を備えたことを特徴とする光学処理装置。
【請求項１０】
請求項５に記載の画像投写システムにおける画像処理装置であって、
前記ネットワークに接続されることを特徴とする画像処理装置。
【発明の詳細な説明】
【技術分野】
【０００１】
本発明は、２種類の装置間で画像データや情報を通信し投写する画像投写方法、画像投写システム、画像処理装置および光学処理装置に関するものである。
【背景技術】
【０００２】
従来から、プロジェクタは会議室や学校の教室などで使用され、各種打合せや視聴覚教育用の授業などに利用されている。そして、プロジェクタの固定方法としては、固定台に置いたり、天井に天吊りしたりして使用されている。しかし、最近では学会、展示会、その他イベントなど、従来よりも多人数を対象にして、広い会場で使用される機会が多くなって来ている。また、そのような会場では、複数台のプロジェクタを使用して行われるのが一般的となり、プロジェクタの固定方法も会場の天井に天吊りして使用されるのが一般的になりつつある。なお、画像を投写するプロジェクタとして、下記に示す特許文献１が知られている。
【０００３】
【特許文献１】特開２００３−４３５８３号公報
【発明の開示】
【発明が解決しようとする課題】
【０００４】
このようなプロジェクタの使用状況において、プロジェクタとケーブルの接続を考える場合、下記に記述する問題点を有している。
（１）会場でパソコンやビデオ機器の画像をプロジェクタで投写するためには、パソコンやビデオ機器とプロジェクタを接続ケーブルで接続する必要がある。その時、ＰＣ（Personal Computer）用ケーブルやビデオ用ケーブルを、会場でのプロジェクタ設置レイアウトに応じた長さで接続する必要がある。その結果、広い会場では接続ケーブルの長さも長くなり、ケーブルの抵抗成分も多くなるため、投写画像にノイズなどが乗り画質に悪影響が出てしまう。
（２）投写画質の関係で、接続ケーブルを変更する場合、例えばビデオ用ケーブルをコンポジット用ケーブルからＳビデオ用ケーブルや色差用ケーブルに変更する場合などにおいては、設置してあるケーブルを変更する必要がある。
（３）プロジェクタに設置されたインターフェース部の全てのコネクタに対応するためには、全てのコネクタに対応する接続ケーブルを設置する必要があり、費用が大変かかる。
本発明は、上記課題に鑑みてなされたものであり、プロジェクタを広い会場で使用する際に、プロジェクタの投写場所を変更したり、プロジェクタが複数箇所にあったとしても画像データの入力部に接続するケーブルの取替え等を不要にでき、設置レイアウトの自由度を拡大し、投写画像の画質を向上させた画像投写方法、画像投写システム、画像処理装置および光学処理装置を提供することを目的とする。
【課題を解決するための手段】
【０００５】
上述した課題を解決し、目的を達成するために、本発明の画像投写方法は、外部から入力した信号に基づき生成した画像を投写部により投写する画像投写方法であって、外部から入力した信号に基づき画像処理を行う部分と、画像処理により得られた画像データに基づき光学処理を行って画像の投写を行う部分とを画像処理装置と光学処理装置との２種類の装置に分割構成し、画像処理装置が外部から入力した画像信号を表示デバイスに合わせて変換する画像処理工程と、画像処理装置が変換された画像データを符号化する画像符号化工程と、画像処理装置が符号化された画像データを送信する第１の通信工程と、光学処理装置が符号化された画像データを受信する第２の通信工程と、光学処理装置が受信した符号化された画像データを復号化する画像復号化工程と、光学処理装置が復号化された画像データを補正処理する画像補正工程と、光学処理装置が補正された画像データを基に表示デバイスを駆動させる表示デバイス駆動工程と、光学処理装置が表示デバイスを含む光学系を構成する光学部により画像を投写させる投写工程とを備えたことを特徴とする。
【０００６】
このような画像投写方法により、画像処理装置が外部から入力した画像信号を画像処理工程により、光学系を構成する表示デバイスの仕様に合わせて変換する。そして、変換された画像データを画像処理装置が画像符号化工程により符号化する。そして、符号化された画像データを画像処理装置が第１の通信工程により無線などを使用して送信する。そして、光学処理装置が第２の通信工程により符号化された画像データを受信する。そして、光学処理装置が画像復号化工程により符号化された画像データを復号化する。そして、光学処理装置が画像補正工程により、復号化された画像データを補正処理する。そして、光学処理装置が表示デバイス駆動工程により、補正された画像データを基に表示デバイスを駆動させる。そして、光学処理装置が表示デバイスを含む光学系を構成する光学部により画像を投写させる投写工程により、画像を投写させることができる。そのため、接続ケーブルは、外部から画像信号を入力する画像処理装置側に必要なだけであり、また、光学処理装置を移動させても画像処理装置はそのままで良いため、従来のように、接続ケーブルを長く引き回す必要がなくなる。画像処理装置と投写する光学処理装置の間は無線などの通信により画像データを送るためケーブルが不必要になる。そのため接続ケーブルに抵抗成分が乗らなくなり画質が向上する。また、画像処理装置および光学処理装置の設置レイアウトの自由度が大きく拡大する。
そして、画像処理装置と光学処理装置の２種類の装置に分割構成し、画像データを圧縮できるデータに変更してから送信することができるように分割したので、分割しても送受信処理時間が比較的短くすむ。
【０００７】
また、上記分割に対し、接続ケーブルを接続するインターフェース部分と、画像処理装置と光学処理装置とからなるプロジェクタ部分とに分割し、インターフェース部分からプロジェクタ部分に無線で通信する構造が考えられる。しかし、この構成では、接続ケーブルによる不具合に関しては改善されても、プロジェクタ部分の大きさは従来とほとんど変わらないため天吊り状態で設置する場合に設置レイアウトの自由度は拡大しない。本発明の構成にすることで、光学処理装置もコンパクトになるため、従来のプロジェクタに比較して設置レイアウトの自由度が大きく拡大する。
【０００８】
また、本発明の画像投写システムは、画像処理装置と光学処理装置を備えた画像投写システムであって、単一の前記画像処理装置に対して、単一又は複数の前記光学処理装置を備え、画像処理装置は、外部から入力した画像信号を表示デバイスに合わせて変換する画像処理部と、変換された画像データを符号化する画像符号化部と、符号化された画像データを画像処理装置から光学処理装置に送信する第１の通信部とを備え、光学処理装置は、符号化された画像データを受信する第２の通信部と、受信した符号化された画像データを復号化する画像復号化部と、復号化された画像データを補正処理する画像補正部と、補正された画像データを基に表示デバイスを駆動させる表示デバイス駆動部と、表示デバイスを含み光学系を構成し、画像を投写させる光学部とを備えたことを特徴とする。
【０００９】
このような画像投写システムにより、単一の前記画像処理装置に対して、単一又は複数の前記光学処理装置を備え、画像処理装置は、外部から入力した画像信号を画像処理部により、光学系を構成する表示デバイスの仕様に合わせて変換する。そして、変換された画像データを画像符号化部により符号化する。そして、符号化された画像データを第１の通信部により無線などを使用して画像処理装置から光学処理装置に送信する。光学処理装置は、第２の通信部により符号化された画像データを受信する。そして、画像復号化部により符号化された画像データを復号化する。そして、画像補正部により、復号化された画像データを補正処理する。そして、表示デバイス駆動部により、補正された画像データを基に表示デバイスを駆動させる。そして、表示デバイスを含み光学系を構成する光学部により、画像を投写させることができる。そのため、接続ケーブルは、外部から画像信号を入力する画像処理装置側に必要なだけであり、また、光学処理装置を移動させても画像処理装置はそのままで良いため、従来のように、接続ケーブルを長く引き回す必要がなくなる。画像処理装置と投写する光学処理装置の間は無線などの通信により画像データを送るためケーブルが不必要になる。そのため接続ケーブルに抵抗成分が乗らなくなり画質が向上する。また、画像処理装置および光学処理装置の設置レイアウトの自由度が大きく拡大する。
また、単一の画像処理装置を使用して、複数の光学処理装置に画像データを送り、投写させることができる。そのため、従来のように、複数のプロジェクタを使用する場合にも、コンパクトで安価に画像投写システムを構成できるため、費用面の負荷を大幅に軽減することができる。
【００１０】
また、本発明の好ましい態様によれば、画像処理装置は光学処理装置から送信された情報を記憶する第１の記憶部を備えたことを特徴とする。
このような画像投写システムにより、画像処理装置は、光学処理装置側から送信された各種情報を記憶する第１の記憶部を備えたため、例えばランプ寿命の情報や、ランプの累積使用時間の情報などを記憶することができる。そのため、画像処理装置のシステム内部の呼出しや使用者が画像処理装置を操作する場合のメニューの表示時に記憶した各種情報を使用することができるため操作性が向上する。
【００１１】
また、本発明の好ましい態様によれば、画像投写システムであって、画像処理装置は、ネットワークに接続されることを特徴とする。
このような画像投写システムにより、ネットワークを利用して画像データを利用できることで、画像投写システムを使用する場合の使用者の利便性を向上させる効果がある。
【００１２】
また、本発明の好ましい態様によれば、光学処理装置は画像処理装置から送信された情報を記憶する第２の記憶部を備え、情報に基づいて画像補正部を設定することを特徴とする。
このような画像投写システムにより、光学処理装置は画像処理装置側から送信された情報を記憶する第２の記憶部を備えたため、例えばガンマ補正などの情報を記憶することができる。そのため、光学処理装置の画像補正部において記憶した情報を画像補正に反映させることができるため画質が向上する。
【００１３】
また、本発明の好ましい態様によれば、画像処理装置であって、画像処理部、画像符号化部および第１の通信部とを備えたことを特徴とする。
このような画像処理装置により、外部から入力された画像信号を画像処理部で画像データに変換し、画像符号化部で画像データを符号化し、第１の通信部から画像データを送信できる。そのため、光学処理装置との間は接続ケーブルが不必要になり、画質が向上するとともに画像処理装置の設置レイアウトの自由度が拡大する。
【００１４】
また、本発明の好ましい態様によれば、光学処理装置であって、第２の通信部、画像復号化部、画像補正部、表示デバイス駆動部および光学部とを備えたことを特徴とする。
このような光学処理装置により、画像処理装置から送信された画像データを第２の通信部で受信し、画像復号化部で画像データを復号化し、画像補正部により、復号化された画像データを補正処理する。そして、表示デバイス駆動部により、補正された画像データを基に表示デバイスを駆動させる。そして、表示デバイスを含み光学系を構成する光学部により、画像を投写させることができる。そのため、光学処理装置と画像処理装置との間は接続ケーブルが不必要になり、画質が向上するとともに光学処理装置の設置レイアウトの自由度が拡大する。
【００１５】
また、本発明の好ましい態様によれば、画像処理装置であって、画像処理部、画像符号化部、第１の通信部および第１の記憶部を備えたことを特徴とする。
このような画像処理装置により、画像処理装置は画像処理部、画像符号化部、第１の通信部を備え、また、光学処理装置側から送信された各種情報を記憶する第１の記憶部を備えたため、例えばランプ寿命の情報や、ランプの累積使用時間の情報などを記憶することができる。そのため、画像処理装置のシステム内部の呼出しや使用者が画像処理装置を操作する場合のメニューの表示時に記憶した各種情報を使用することができるため操作性が向上する。
【００１６】
また、本発明の好ましい態様によれば、光学処理装置であって、第２の通信部、画像復号化部、画像補正部、表示デバイス駆動部、光学部および第２の記憶部を備えたことを特徴とする。
このような光学処理装置により、光学処理装置は第２の通信部、画像復号化部、画像補正部、表示デバイス駆動部、光学部を備え、また、画像処理装置側から送信された情報を記憶する第２の記憶部を備えたため、例えばガンマ補正などの情報を記憶することができる。そのため、光学処理装置の画像補正部において記憶した情報を画像補正に反映させることができるため画質が向上する。
【００１７】
また、本発明の好ましい態様によれば、画像投写システムにおける画像処理装置であって、画像処理装置は、ネットワークに接続されることを特徴とする。
このような画像処理装置により、ネットワークを利用して画像データを利用できることで、画像投写システムを使用する場合の使用者の利便性を向上させる効果がある。
【発明を実施するための最良の形態】
【００１８】
以下、本発明の第１実施形態を図面に基づいて説明する。
図１は本発明の画像投写システムの概略構成図である。
本発明の画像投写システム１は、画像信号を画像データに変換し送信する画像処理装置２と、画像データを受信し投写する光学処理装置３とから構成されている。また、第１実施形態では、単一の画像処理装置２と単一の光学処理装置３を用いた画像投写システム１として説明する。
【００１９】
画像処理装置２は、外部から入力される画像信号を画像データに変換するA/D変換部２０と、変換された画像データを表示デバイス４２の特性にあわせて変換する画像処理部２１と、変換した画像データを符号化して圧縮する画像符号化部２２と、符号化した画像データを光学処理装置３に送信する第１の通信部である通信部２３と、外部のコンセントと画像処理装置２とを結ぶ電源ケーブル２８と、画像処理装置２に電力を供給する電源２７とで構成されている。また、光学処理装置３からの情報を記憶する記憶部２６が構成されている。そして、通信部２３は通信するための通信アンテナ２５を備えている。また、通信部２３は複数の光学処理装置３にデータを送る際に、光学処理装置３を識別する第１の識別部である識別部２４も備えている。
【００２０】
一方、光学処理装置３は、画像処理装置２からの画像データを受信する第２の通信部である通信部３０と、受信した画像データを復号化して伸張する画像復号化部３３と、復号化された画像データを補正処理する画像補正部３４と、画像処理装置２から送信された情報を記憶する第２の記憶部である記憶部３５と、外部のコンセントと光学処理装置３とを結ぶ電源ケーブル３７と、光学処理装置３全体および光学部４０に電力を供給する電源３６と、表示デバイス４２を含み光学系を構成し、画像を投写させる光学部４０とで構成されている。
そして、光学部４０は、光学処理装置３の光源となるランプ４３と、ランプ４３を駆動するランプ駆動電源４４と、変調を行う表示デバイス４２と、表示デバイス４２を駆動する表示デバイス駆動部４１と、ランプ４３からの出射光を偏光変換、色分離、そして色合成などするための光学構成部（図示省略）と、出射光を拡大投写する投写部（図示省略）などを備えている。ここで、光学構成部は図示はしないが、偏光変換素子、レンズアレイ、コンデンサレンズ、ダイクロイックミラー、フィールドレンズ、クロスダイクロイックプリズムなどの光学系素子により構成されている。
また、通信部３０は通信するための通信アンテナ３１を備えている。そして、通信部３０は画像データを受信する際に、複数の光学処理装置３を使用している場合に、自分へ送信された画像データなのかを判断する第２の識別部である識別部３２も備えている。
また、画像投写システム１を構成する光学処理装置３の投写部からの投写光はスクリーン５０などに投写される。
【００２１】
次に、画像投写システム１を構成する画像処理装置２と光学処理装置３の動作について、詳述する。
画像処理装置２は、各種コネクタを備え、各種コネクタに接続されたケーブルを介して外部のＰＣや各種ビデオ機器と接続される。そして、接続したＰＣや各種ビデオ機器から入力される画像信号をA/D変換部２０を構成するA/Dコンバータやビデオデコーダによりデジタルの画像データに変換する。そして、変換した画像データを画像処理部２１に送る。画像処理部２１では画像データを表示デバイス４２の仕様に合わせた、解像度およびフレーム周波数に変換する。本実施形態では、表示デバイス４２としてＸＧＡ（eXtended Graphics Array）の液晶パネルを用いており、フレーム周波数は６０Hzで実施している。
変換された画像データは画像符号化部２２で符号化および圧縮処理される。本実施形態では、符号化圧縮技術として静止画像の符号化圧縮技術であるＪＰＥＧ（Joint Photographic Coding Experts Group：ITU-TS（国際電気通信連合）とISO（国際標準化機構）で定めたカラー静止画像の圧縮、展開を決める規格）を用いている。
符号化圧縮された画像データは通信部２３により通信アンテナ２５を介して無線により光学処理装置３に送信される。本実施形態では、無線の通信規格としてIEEE802.11a（Institute of Electronic and Electronics Engineers 802.11a）規格を用いて通信を行っている。
また、画像処理部２１では、入力されるＰＣや各種ビデオ機器からの画像データが、ＶＧＡ（Video Graphics Array）やＳＶＧＡ（Super Video Graphics Array）など様々な解像度や様々なフレーム周波数、および動画像や静止画像であっても、ＸＧＡの表示デバイスに対応する解像度およびフレーム周波数に変換を行い、画像符号化部２２では静止画像の符号化圧縮技術を用いて画像データの符号化圧縮処理を行う。
【００２２】
一方、光学処理装置３は、画像処理装置２から送信された画像データを、通信部３０を構成する通信アンテナ３１を介して受信する。受信した画像データは画像復号化部３３により、復号化して伸張処理される。復号化伸張された画像データは画像補正部３４により補正処理される。本実施形態では画像補正部３４において、光学部４０が個々に持つ特有のガンマ特性や色むらなどの補正や、使用者が設定できる光学処理装置３の画像表現の仕様である投写画質や色再現性を向上させるための補正などを行っている。そのため、例えばスクリーン５０に投写したり黒板に投写したりしても、その被投写物に対しての補正ができ、投写画質を向上させることができる。そして、補正された画像データに基づいて表示デバイス駆動部４１は光学部４０を構成する表示デバイス４２を駆動する。
【００２３】
また、電源３６は光学処理装置３の必要各部全体に電力を供給する他、ランプ駆動電源４４に電力を供給している。そして、光学部４０は、ランプ駆動電源４４により光源であるランプ４３を駆動し、ランプ４３からの出射光は光学構成部により偏光変換や色分離され、所定の表示デバイス４２を透過し、変調され、色合成される。そして、投写部により合成された光は拡大射出され、スクリーン５０などに最終の補正された画像が投写される。
【００２４】
ここで、光学処理装置３の記憶部３５であるFlashＲＯＭ（Flash Read Only  Memory）などに、光学処理装置３で蓄積された、ランプ４３の累積使用時間や、予め設定されているランプ寿命時間などの各種情報が記憶保持される。また、予め個々の光学処理装置３の特性に応じて設定されている、例えばガンマ補正や色むら補正などの画像補正用の設定項目と設定値などの情報も記憶保持されている。そして、記憶された各種情報は、画像投写システム１の起動時や、画像処理装置２の操作時に、通信部３０の通信アンテナ３１を介して、画像処理装置２に送信される。送信された各種情報は画像処理装置２の通信部２３の通信アンテナ２５を介して受信され、画像処理部２１に接続される記憶部２６であるFlashＲＯＭなどに記憶保持される。そして、画像処理装置２のシステム内部の呼出し時や、使用者が画像処理装置２を操作する場合のメニューの表示時に記憶部２６に記憶した各種情報が読み出される。
【００２５】
また、画像処理装置２の記憶部２６であるFlashＲＯＭなどに、ガンマ特性や使用者がメニューによって投写画質や色再現性を向上させるために設定した設定情報が記憶保持される。そして、通信部２３の通信アンテナ２５を介して、光学処理装置３に送信される。送信された設定情報は光学処理装置３の通信部３０の通信アンテナ３１を介して受信され、画像補正部３４に接続される記憶部３５であるFlashＲＯＭなどに記憶保持される。そして、画像補正部３４での画像補正時に記憶部３５に記憶した各種情報が読み出され設定情報を画像補正に反映させる。
なお画像処理装置２の通信部２３の識別部２４、および光学処理装置３の通信部３０の識別部３２に関しては後述する。
【００２６】
上述した、第１実施形態によれば以下の効果が得られる。
（１）従来のプロジェクタを本発明の画像投写システム１にすることで、画像処理装置２と、光学処理装置３の間は無線などの通信により画像データを送ることになる。そのため、接続ケーブルは、外部から画像信号を入力する画像処理装置２側に必要なだけであり、また、光学処理装置３を移動させても画像処理装置２はそのままで良いため、従来のように、接続ケーブルを長く引き回す必要がなくなる。画像処理装置２と投写する光学処理装置３の間は無線などの通信により画像データを送るためケーブルが不必要になる。そのため接続ケーブルの抵抗成分を考慮する必要がなくなり、画像にもノイズが乗らずに、高品質の画像を投写することができる。
【００２７】
（２）画像信号を画像データに変換し送信する画像処理装置２と画像データを受信し投写する光学処理装置３に分割することで、画像処理装置２および光学処理装置３はそれぞれコンパクトに構成でき、それぞれの装置を設置する場合に、設置レイアウトの自由度が拡大する。そして、コンパクトで安価に画像投写システムを構成できるため、費用面の負荷を軽減することができる。
【００２８】
（３）画像処理部２１では、ＸＧＡの表示デバイスに対応する解像度およびフレーム周波数に変換を行い、画像符号化部２２では静止画像の符号化圧縮処理を行い、通信部２３から無線で送信する。そのため、入力されるＰＣや各種ビデオ機器からの画像データが、ＶＧＡやＳＶＧＡなど様々な解像度や様々なフレーム周波数、および動画像や静止画像であっても、投写する画像品質には影響が出ず、安定した画像品質で投写できる。
【００２９】
（４）画像処理装置２は、光学処理装置３から送信された各種の情報を記憶する記憶部２６を備えたため、画像処理装置２のシステム内部の呼出しや使用者が画像処理装置２を操作する場合のメニューの表示時に、記憶した各種の情報および設定値などを使用することができる。そのため、画像投写システム１の現在状況および光学処理装置３の現在状況を画像処理装置２で常に確認することができる。また、記憶した各種の情報および設定値などを基に画像処理装置２で光学処理装置３を再設定する情報を、光学処理装置３に送信することができるため操作性が向上する。
【００３０】
（５）光学処理装置３は画像処理装置２から送信された各種の設定情報などを記憶する記憶部３５を備えたため、光学処理装置３の画像補正部３４において記憶した情報を基に画像補正を行うことができ、画質を向上させることができる。
【００３１】
次に、本発明の第２実施形態を図面に基づいて説明する。
図２は本発明の画像投写システム１が単一の画像処理装置２と複数の光学処理装置３を用いて構成された第２実施形態の概略構成図である。また、図２は単一の画像処理装置２と、第１光学処理装置３Ａと第２光学処理装置３Ｂの２台の光学処理装置３Ａ,３Ｂとから構成される画像投写システム１となっている。なお、２台の光学処理装置３Ａ,３Ｂの構成は第１実施形態で説明した光学処理装置３と同様であるため説明は省略する。
【００３２】
画像処理装置２にはパソコン６０およびビデオ機器７０が接続ケーブルにより接続されている。また、画像処理装置２の通信部２３（図１）の通信アンテナ２５と、第１光学処理装置３Ａの通信アンテナ３１Ａと第２光学処理装置３Ｂの通信アンテナ３１Ｂにより通信を行い、光学処理装置３Ａ,３Ｂはそれぞれ画像データをスクリーン５０に投写する。
【００３３】
また、光学処理装置３Ａ,３Ｂを構成するそれぞれの表示デバイスは共通であり、本実施形態ではＸＧＡの液晶パネルを使用して、解像度およびフレーム周波数は共通である。よって、画像処理装置２も、画像処理部２１（図１）ではＸＧＡの液晶パネルに合わせた解像度およびフレーム周波数の変換を行っている。そして、単一の画像処理装置２は光学処理装置３Ａ,３Ｂにそれぞれ画像データを送信することができる。
なお、光学処理装置３Ａ,３Ｂの動作は第１実施形態で説明した光学処理装置３と同様であるため説明は省略する。
【００３４】
第２実施形態の画像投写システム１により各種の投写が可能となる。以下に投写の種類と方法について説明する。
（１）２台の光学処理装置３Ａ,３Ｂに同一の画像データを投写させる。例えば、広い会場の２箇所で、同一の画像を投写させることが可能である。
この方法としては、画像処理装置２から同一の画像データを送信し、２台の光学処理装置３Ａ,３Ｂで送信された同一の画像データを受信することで投写を行っている。
【００３５】
（２）２台の光学処理装置３Ａ,３Ｂにそれぞれ異なる画像データを投写させる。例えば、光学処理装置３Ａにはパソコン６０の画像データを投写させ、光学処理装置３Ｂにはビデオ機器７０の画像データを投写させる事が可能である。
この方法としては、画像処理装置２の画像処理部２１（図１）により、パソコン６０とビデオ機器７０からの画像データを交互に切換えながらA/D変換部２０からの画像データを取り込み、それぞれ解像度およびフレーム周波数の変換を行い、画像符号化部２２（図１）で符号化圧縮処理を行う。そして、通信部２３（図１）の識別部２４（図１）で、光学処理装置３Ａ,３Ｂに設定されている識別コードとしてのＩＤ（Identification）番号をそれぞれの画像データに付加して、通信アンテナ２５を介して送信する。そして、光学処理装置３Ａ,３Ｂではそれぞれの装置の通信部３０（図１）に構成されている識別部３２（図１）により、自分のＩＤ番号と一致するか否かを判断し、自分のＩＤ番号と一致すると判断した場合、そのＩＤ番号の付加された画像データを受信することで、必要な画像データを取り込むことになる。その取り込んだ画像データをそれぞれの画像復号化部３３（図１）で復号化伸張処理し、それぞれの画像補正部３４（図１）で画像補正すること等により投写させている。
【００３６】
第１光学処理装置３Ａにはパソコン６０の画像データを投写させ、第２光学処理装置３Ｂにはビデオ機器７０の画像データを投写させる場合の識別部２４と識別部３２の動作に関して詳細に説明する。画像処理装置２の通信部２３の識別部２４は、パソコン６０の画像データは第１光学処理装置３Ａに設定されるＩＤ番号、例えば“１”を画像データを構成するヘッダーの部分に付加する。また、ビデオ機器７０の画像データは第２光学処理装置３Ｂに設定されるＩＤ番号、例えば“２”を画像データを構成するヘッダーの部分に付加する動作をしている。
第１光学処理装置３Ａにおいて、対応する識別部３２は、自分のＩＤ番号である“１”と、送られてきた画像データのヘッダーに付加されたＩＤ番号が一致するか否かを判断する。そして、“１”であると判断した場合にはそのＩＤ番号“１”が付加された画像データを取り込む動作をしている。また、第２光学処理装置３Ｂにおいて、対応する識別部３２は、自分のＩＤ番号である“２”と、送られてきた画像データのヘッダーに付加されたＩＤ番号が一致するか否かを判断する。そして、“２”であると判断した場合にはそのＩＤ番号“２”が付加された画像データを取り込む動作をしている。このようにして、光学処理装置３Ａ,３Ｂは、それぞれ自分の画像データを判断し、取り込み、必要な画像データを取得する。
【００３７】
（３）２台の光学処理装置３Ａ,３Ｂを使用して、拡大された一画面を構成するように投写させる。例えば、単一の光学処理装置３ではアスペクト比が４：３である画面を、２台の光学処理装置３Ａ,３Ｂを使用して、アスペクト比が１６：９の画面として拡大投写させることが可能である。
この方法としては、画像処理装置２に持つメニュー設定により、投写させる光学処理装置３Ａ,３Ｂの持つＩＤ番号を含めて投写のさせ方を設定することで、光学処理装置３Ａ,３Ｂの表示エリアをそれぞれ設定し、画像データを送信する。そして、光学処理装置３Ａ,３Ｂはその投写のさせ方の設定情報を個々に受信し、光学処理装置３Ａ,３Ｂはそれぞれ自分の投写させる画面のエリアを認識し、その情報に合った画像データを個々の表示デバイス駆動部４１（図１）により調整し投写することにより投写させている。
【００３８】
次に、第２実施形態において、画像処理装置２および光学処理装置３Ａ,３Ｂにそれぞれ備えた記憶部２６,３５の情報内容と、装置間の通信の仕方について、識別部２４,３２の関係を踏まえて説明する。
【００３９】
それぞれの光学処理装置３Ａ,３Ｂにおいて、記憶部３５をそれぞれ備えている。そして、それぞれの装置の記憶部３５には、それぞれの装置のランプ累積使用時間や、予め設定されているランプ寿命時間などの各種情報が記憶保持される。また、予め光学処理装置３Ａ,３Ｂの特性に応じて設定されている、例えばガンマ補正や色むら補正などの画像補正用の設定項目と設定値などの情報もそれぞれ記憶保持されている。そして、記憶された各種情報は、画像投写システム１の起動時や、画像処理装置２の操作時に、それぞれの通信部３０の通信アンテナ３１Ａ,３１Ｂを介して、画像処理装置２に送信される。
送信時には、それぞれの通信部３０の識別部３２により、光学処理装置３Ａ,３Ｂに設定されているＩＤ番号を付加して送信することになる。
【００４０】
画像処理装置２は記憶部２６を備えている。そして、画像処理装置２の通信部２３では、通信アンテナ２５を介して、光学処理装置３Ａ,３Ｂから送信される情報に対して、ＩＤ番号を受信し、識別部２４で光学処理装置３Ａ,３Ｂのどちらの情報であるかを判断し、受信する。そして、受信した光学処理装置３Ａ,３Ｂのそれぞれの各種情報を記憶部２６に記憶保持する。そして、画像処理装置２のシステム内部の呼出し時や、使用者が画像処理装置２を操作する場合のメニューの表示時に記憶部２６に記憶した各種情報が読み出される。
【００４１】
また、画像処理装置２の記憶部２６に、ガンマ特性や使用者がメニューによって投写画質や色再現性を向上させるために設定した、光学処理装置３Ａ,３Ｂに対しての設定情報が記憶保持される。そして、通信部２３の識別部２４により、光学処理装置３Ａ,３Ｂに設定されているＩＤ番号を付加して、通信アンテナ２５を介して、光学処理装置３Ａ,３Ｂに送信される。
そして、送信された設定情報は光学処理装置３Ａ,３Ｂのそれぞれの通信部３０の識別部３２により、自分のＩＤ番号と一致するか否かを判断し、自分のＩＤ番号と一致すると判断した場合、そのＩＤ番号の付加された設定情報を受信することで、必要な設定情報を画像補正部３４に接続されるそれぞれの記憶部３５に記憶保持する。その取り込んだ設定情報を基に、それぞれの画像補正部３４での画像補正時に設定情報をそれぞれの記憶部３５から読出し設定値を反映させる。
【００４２】
上述した、第２実施形態によれば以下の効果が得られる。
（１）複数のプロジェクタを使用する場合に、プロジェクタを単一の画像処理装置２と複数の光学処理装置３に分割する本発明の画像投写システム１にすることで、単一の画像処理装置２と複数の光学処理装置３の間は無線などの通信により画像データを送ることになる。そのため、接続ケーブルは、外部から画像信号を入力する画像処理装置２側に必要なだけであり、また、複数の光学処理装置３を移動させても画像処理装置２はそのままで良いため、従来のように、接続ケーブルを長く引き回す必要がなくなる。画像処理装置２と投写する複数の光学処理装置３の間は無線などの通信により画像データを送るためケーブルが不必要になる。そのため接続ケーブルの抵抗成分を考慮する必要がなくなり、画像にもノイズが乗らずに、高品質の画像を投写することができる。
【００４３】
（２）複数のプロジェクタを使用する場合に、プロジェクタを単一の画像処理装置２と複数の光学処理装置３に分割する本発明の画像投写システム１にすることで、画像処理装置２および光学処理装置３はそれぞれコンパクトに構成でき、それぞれの装置を設置する場合に、設置レイアウトの自由度が拡大する。そして、コンパクトで安価に画像投写システムを構成できるため、費用面の負荷を大幅に軽減することができる。
【００４４】
（３）画像処理装置２は、複数の光学処理装置３から送信された各種の情報を記憶する記憶部２６を備えたため、画像処理装置２のシステム内部の呼出しや使用者が画像処理装置２を操作する場合のメニューの表示時に、記憶した各種の情報および設定値などを使用することができる。そのため、画像投写システム１の現在状況および、複数の光学処理装置３の現在状況を画像処理装置２で常に確認することができ、単一の画像処理装置２で複数の光学処理装置３を個々に設定することができ、操作性が更に向上する。
【００４５】
（４）光学処理装置３Ａ,３Ｂは画像処理装置２から送信された各種の設定情報などを記憶する記憶部３５を備えたため、光学処理装置３Ａ,３Ｂのそれぞれの画像補正部３４において記憶した情報を基に画像補正を行うことができ、画質を向上させることができる。
【００４６】
（５）単一の画像処理装置２と複数の光学処理装置３に分割する本発明の画像投写システム１にすることで、複数の光学処理装置３に同一の画像データを投写させることができる。また、複数の光学処理装置３にそれぞれ異なる画像データを投写させることができる。また、複数の光学処理装置３にそれぞれ投写エリアを設定することで拡大投写をさせて、拡大された一画面を投写させることができる。
【００４７】
次に、本発明の第３実施形態を図面に基づいて説明する。
図３は本発明の画像投写システム１を構成する画像処理装置２が、ネットワークと接続されたときの概略構成図である。また、単一の画像処理装置２と複数の光学処理装置３を用いて構成されている。
画像処理装置２はネットワークとしてのＬＡＮ（Local Area Network）８０とサーバー９０とにより接続されている。そして、画像処理装置２はサーバー９０などからの画像データを光学処理装置３により投写させる。
なお、画像処理装置２、第１光学処理装置３Ａおよび第２光学処理装置３Ｂの構成および動作は第１実施形態および第２実施形態で説明した画像処理装置２、光学処理装置３と同様であるため説明は省略する。
【００４８】
上述した、第３実施形態によれば、パソコン６０やビデオ機器７０の限られた画像データを利用するだけでなく、サーバー９０に保持する多量な画像データをＬＡＮを介して利用し、光学処理装置３Ａ,３Ｂに投写させることができる。また、パソコン６０などのデータは、サーバー９０に保存することで、パソコン６０を持ち歩かなくてもパソコン６０の画像データがＬＡＮ８０を介して利用することができるため、画像投写システム１を使用する場合の使用者の利便性を向上させる効果がある。また、ＬＡＮを介して他のパソコンなどを使用することで、画像投写システム１を遠隔操作するなどの使用方法もできるため、使用者の利便性を更に向上させることができる。
【００４９】
なお、本発明は上述した実施形態に限定されず、上述した実施形態に種々の変更や改良など加えることが可能である。変形例を以下に述べる。
（変形例１）前記各実施形態では、通信部２３,３０において、無線の通信規格としてIEEE802.11a（Institute of Electronic and Electronics Engineers 802.11a）規格を用いて通信を行っている。しかし、この通信規格に限らず、IEEE802.11g（Institute of Electronic and Electronics Engineers 802.11g）規格でも良い。また、IEEE802.11aおよびIEEE802.11g以外の通信速度の速い規格であるなら更に良い。これにより高画質の画像データを光速に通信し、投写することができる。
【００５０】
（変形例２）前記各実施形態では、通信部２３,３０において、無線の通信規格を用いているが、これに限らず光通信でも良い。これにより、通信方式を使用者が選択することができ、画質の向上も図れる効果がある。
【００５１】
（変形例３）前記各実施形態では、単一の画像処理装置２複数の光学処理装置３による画像投写システム１であり、全ての光学処理装置３は同一の表示デバイスであるＸＧＡの液晶パネルを用いている。しかし、これに限らず、同一の表示デバイスとして、ＶＧＡ、ＳＶＧＡ、ＳＸＧＡ（Super eXtended Graphics Array）、ＵＸＧＡ（Ultra eXtended Graphics Array）など、様々な解像度の液晶パネルを使用しても良い。このとき、画像処理装置２は光学処理装置３に使用する表示デバイスに合わせた処理をするものを用いる。これにより画像投写システム１を構成する場合、表示デバイスの解像度を選択することができる。
【００５２】
（変形例４）前記各実施形態では、単一の画像処理装置２複数の光学処理装置３による画像投写システム１であり、全ての光学処理装置３は同一の表示デバイスであるＸＧＡの液晶パネルを用いている。しかし、これに限らず、光学処理装置３に用いる表示デバイスをそれぞれ異なる表示デバイスを用いても良い。例えば、第２実施形態において、第１光学処理装置３ＡはＸＧＡの表示デバイスを用いて、第２光学処理装置３ＢはＶＧＡの表示デバイスを用いても良い。その場合、画像処理装置２は、異なる表示デバイスに対応する、画像処理部２１を備えることで実現できる。この場合、画像処理装置２はＸＧＡに対応する画像処理部２１とＶＧＡに対応する画像処理部２１の２種類を備えるか、ＸＧＡとＶＧＡとの両方に対応した処理を切り替えて行うことができる画像処理部２１を備えることになる。これにより、複数の表示デバイスに対応させた画像処理部２１を備えることで、単一の画像処理装置２で表示デバイスの異なる複数の光学処理装置３に画像データを送信し、投写させることが可能な画像投写システム１ができる。
【００５３】
（変形例５）前記各実施形態において、画像処理装置２および光学処理装置３はスタンバイモードを備えて、画像処理装置２では外部からの入力信号により、また、光学処理装置３では画像処理装置２からの入力信号により、それぞれの装置をスタンバイ状態から起動させても良い。これにより、入力信号が入らない場合は、必要最低限の回路部のみに電力を供給するだけで良く、画像投写システム１の消費電力を大幅に低減することができる。
この方法としては、光学処理装置３においては、通信部３０内に監視部（図示略）を備えて、信号が入ったか否かを判断させる。そして、監視部で信号が入力したと判断すると、光学処理装置３の各部を起動させることになる。また、画像処理装置２に置いては、画像処理部２１内に監視部を備えて、信号が入ったか否かを判断させる。また、画像処理装置２がネットワークと接続されている場合は、ネットワークと接続するインターフェース回路（図示略）に監視部を設けて、信号が入ったか否かを判断させる。そして、監視部で信号が入力したと判断すると、画像処理装置２の各部を起動させることになる。なお、信号が入力しないと判断した場合は、必要最低限の回路部への電力供給を継続させる。このようにして実施することができる。
【００５４】
（変形例６）前記各実施形態では、符号化圧縮技術として静止画像の符号化圧縮技術であるＪＰＥＧを用いているが、用いる符号化圧縮技術はこの方式に限らなくても良い。これにより、他の無線通信に用いる通信規格にも対応できる効果がある。
【００５５】
前記実施形態および変形例から把握できる請求項以外の技術的思想について、以下にその効果とともに記載する。
（技術的思想１）本発明の画像投写システムであって、単一の前記画像処理装置に対して、複数の前記光学処理装置を備え、前記画像処理装置は、複数の前記光学処理装置を識別するための第１の識別部を備え、前記第１の通信部を介して識別コードを前記光学処理装置に対し通信し、前記光学処理装置は、該光学処理装置を識別するための第２の識別部を備え、前記第２の通信部を介して識別コードを前記画像処理装置に対し通信することを特徴とする画像投写システム。
この画像投写システムにより、画像処理装置は、第１の識別部により複数の光学処理装置を識別することが可能となり、それぞれの光学処理装置にそれぞれの画像データおよび設定するための情報などを識別コードを付加して送信することができる。また、光学処理装置では第２の識別部により、送信された画像データおよび設定するための情報などが自分に送信されたものなのか否かを識別コードに基づいて判定できる。そして、自分に送信された画像データおよび設定するための情報などを受信することが可能となる。
一方、光学処理装置は第２の識別部により自分を特定する、識別コードを付加して、画像処理装置に送信できる。また、画像処理装置では第１の識別部により複数の光学処理装置から送信されたデータが、どの光学処理装置から送信されたかを識別コードに基づいて判断し受信できる。
【００５６】
（技術的思想２）技術的思想１に記載の画像投写システムにおける画像処理装置であって、前記第１の識別部を備えたことを特徴とする画像処理装置。
この画像処理装置により、第１の識別部で複数の光学処理装置を識別することが可能となり、それぞれの光学処理装置にそれぞれの画像データを送信することができる。また逆に、画像処理装置は第１の識別部により複数の光学処理装置から送信されたデータが、どの光学処理装置から送信されたのかを判断し受信できる。
【００５７】
（技術的思想３）技術的思想１に記載の画像投写システムにおける光学処理装置であって、前記第２の識別部を備えたことを特徴とする光学処理装置。
この光学処理装置により、第２の識別部で自分に送信されたものか否かを判定できるため、自分に送信されたデータを受信することが可能となる。また、光学処理装置は第２の識別部により自分を特定する、例えばＩＤ番号を付加して、画像処理装置に送信できる。
【００５８】
（技術的思想４）本発明の画像投写方法であって、前記画像符号化工程および前記画像復号化工程において、静止画像の符号化圧縮技術を用いることを特徴とする画像投写方法。
この画像投写方法により、静止画像の符号化圧縮技術を用いたことで、動画像圧縮技術を用いた場合に比べ、投写した画像の品質を向上できる。
【００５９】
（技術的思想５）本発明の画像投写システムであって、前記画像符号化部および前記画像復号化部において、静止画像の符号化圧縮技術を用いることを特徴とする画像投写システム。
この画像投写システムにより、静止画像の符号化圧縮技術を用いたことで、動画像圧縮技術を用いた場合に比べ、投写した画像の品質を向上できる。
【００６０】
（技術的思想６）技術的思想５に記載の画像投写システムにおける画像処理装置であって、前記画像符号化部において、静止画像の符号化圧縮技術を用いることを特徴とする画像処理装置。
この画像処理装置により、画像データを静止画像の符号化圧縮が行える。
【００６１】
（技術的思想７）技術的思想５に記載の画像投写システムにおける光学処理装置であって、前記画像復号化部において、静止画像の符号化圧縮技術を用いることを特徴とする光学処理装置。
この光学処理装置により、画像データを静止画像の復号化および伸張が行える。
【図面の簡単な説明】
【００６２】
【図１】本発明の第１実施形態に係る画像投写システムの概略構成図。
【図２】本発明の第２実施形態に係る画像投写システムの概略構成図。
【図３】本発明の第３実施形態に係る画像投写システムの概略構成図。
【符号の説明】
【００６３】
１…画像投写システム、２…画像処理装置、３…光学処理装置、３Ａ…第１光学処理装置としての光学処理装置、３Ｂ…第２光学処理装置としての光学処理装置、２０…A/D変換部、２１…画像処理部、２２…画像符号化部、２３…第１の通信部としての通信部、２４…第１の識別部としての識別部、２５…通信アンテナ、２６…第１の記憶部としての記憶部、２７…電源、２８…電源ケーブル、３０…第２の通信部としての通信部、３１…通信アンテナ、３１Ａ…第１光学処理装置としての光学処理装置を構成する通信アンテナ、３１Ｂ…第２光学処理装置としての光学処理装置を構成する通信アンテナ、３２…第２の識別部としての識別部、３３…画像復号化部、３４…画像補正部、３５…第２の記憶部としての記憶部、３６…電源、３７…電源ケーブル、４０…光学部、４１…表示デバイス駆動部、４２…表示デバイス、４３…ランプ、４４…ランプ駆動電源、５０…スクリーン、６０…パソコン、７０…ビデオ機器、８０…ＬＡＮ、９０…サーバー。
【図１】
2005234107.tif 000003
【図２】
2005234107.tif 000004
【図３】
2005234107.tif 000005